(57)【要約】【課題】  保育器の総ての構成部材を輸送するための輸送費を比較的低額に抑えることができ、綺麗に清掃する作業を比較的簡単に行うことができて別の児が感染症などにかかる可能性が低く、破損部分の修復や部品交換が比較的簡単である保育器を提供する。【解決手段】  第１のラッチ機構５０による天面フード２６のラッチを解除させることによって、天面フード２６を周囲枠部から取り外すことができるように構成されている。また、第２〜第５のラッチ機構のいずれかをラッチ解除状態に持ち来たすことによって、周囲枠部を構成する４枚の壁部のうちの、ラッチ解除されたラッチ機構に対応する壁部を、保育器基台１２から取り外すことができるように構成されている。【選択図】  図１１
2017086302.tif 000002
【特許請求の範囲】
【請求項１】
臥床架を支持することができる保育器基台と、児収容空間の外周囲を形成するために、上記保育器基台にそれぞれ取り付けられている第１、第２、第３および第４の壁部によって構成されている周囲枠部と、上記児収容空間の上面を形成するために、上記第１〜第４の壁部のうちの少なくとも１つの壁部に取り付けられている天面フードとを備えている保育器において、
上記天面フードが、上記周囲枠部のうちの上記少なくとも１つの壁部に、第１のラッチ機構によって着脱自在に取り付けられ、
上記第１のラッチ機構がラッチ解除状態に持ち来たされることによって、上記天面フードが、上記第１のラッチ機構によるラッチを解除されて、上記周囲枠部から取り外され得るように構成され、
上記第１〜第４の壁部のそれぞれが、上記保育器基台に第２、第３、第４および第５のラッチ機構のそれぞれによって着脱自在に取り付けられ、
上記第２〜第５のラッチ機構のうちのいずれかのラッチ機構がラッチ解除状態に持ち来たされることによって、このラッチ解除状態に持ち来たされた上記いずれかのラッチ機構にラッチされていた上記壁部が、このいずれかのラッチ機構によるラッチを解除されて、上記保育器基台から取り外され得るように構成されていることを特徴とする保育器。
【請求項２】
上記保育器基台を支持することができる保育器基台支持機構をさらに備えていることを特徴とする請求項１に記載の保育器。
【請求項３】
上記保育器基台支持機構が、少なくとも１つの側面のほぼ全体が開口することによって形成されている開口部を有する台車本体と、この台車本体の上記開口部を開閉するために、この台車本体に回動可能にそれぞれ取り付けられた左右一対の開閉扉と、上記保育器を移動させるのに用いるために、上記台車本体に配設された車輪とを備えていることを特徴とする請求項２に記載の保育器。
【請求項４】
上記保育器基台支持機構が、その上端部が保育器基台の下端部に連結されている支柱部と、この支柱部の下端部を支持している台車本体と、この台車本体の一方の側の端部とこの一方の側とは反対側である他方の側の端部とにそれぞれ連結されている一対の脚部と、上記一対の脚部のそれぞれの両端部にそれぞれ取り付けられている車輪とを備えていることを特徴とする請求項２に記載の保育器。
【請求項５】
上記児収容空間の上記外周囲が、上記児収容空間を平面的に見て、ほぼ長方形状であることを特徴とする請求項１〜４のうちのいずれか１つに記載の保育器。
【請求項６】
上記天面フードが、上記第１〜第４の壁部のうちの少なくとも２つの固定側の壁部のそれぞれに、上記第１のラッチ機構のそれぞれによって着脱自在に取り付けられていることを特徴とする請求項１〜５のうちのいずれか１つに記載の保育器。
【請求項７】
上記第１〜第４の壁部のうちの上記固定側の壁部を除く少なくとも１つの可動側の壁部の下端部が、上記保育器基台に回動自在に軸支され、
上記少なくとも１つの可動側の壁部が、その下端部を回動支点として、ほぼ直立した状態とほぼ下垂した状態との間を往復回動し得るように構成されていることを特徴とする請求項６に記載の保育器。
【請求項８】
上記保育器が閉鎖型保育器であることを特徴とする請求項１〜７のうちのいずれか１つに記載の保育器。
【発明の詳細な説明】
【技術分野】
【０００１】
本発明は、臥床架を支持することができる保育器基台と、児収容空間の外周囲を形成するために、上記保育器基台にそれぞれ取り付けられている第１、第２、第３および第４の壁部によって構成されている周囲枠部と、上記児収容空間の上面を形成するために、上記第１〜第４の壁部のうちの少なくとも１つの壁部に取り付けられている天面フードとを備えている保育器に関するものである。
【背景技術】
【０００２】
上述のように構成された保育器は、特許文献１に実質的に例示されているように、従来から知られている。そして、この特許文献１に開示されている保育器（以下、「特許文献１の保育器」という。）においては、医師や看護師などの取扱者は、保育器の児収容空間に配設されている臥床架上に寝かされている新生児などの児に対して、つぎのようにして各種の処置を施すことができる。すなわち、医師や看護師などの取扱者は、エンクロージャの前側の面を構成している可動壁部を、ほぼ直立した状態（換言すれば、閉鎖状態）からこの可動壁部の下端部付近を回動支点として外側に向かって往回動させることによって、ほぼ垂れ下がった状態にする。このために、児収容空間が前側の面において開放されるので、医師や看護師などの取扱者は、この開放された前側の面から児に近づいてから、児に対して必要な処置を容易にかつ迅速に施すことができる。また、処置を施した後には、ほぼ垂れ下がった状態になっている可動壁部を上記往回動とは逆の方向に復回動させることによって、児収容空間を再び閉鎖状態にすることができる。
【先行技術文献】
【特許文献】
【０００３】
【特許文献１】特開平９−２７６３４３号公報
【発明の概要】
【発明が解決しようとする課題】
【０００４】
しかし、特許文献１の保育器においては、児収納空間を形成するために、エンクロージャが保育器基台上に配設されている。そして、このエンクロージャにおいては、このエンクロージャの前側の面に形成されている可動壁部以外の壁部（換言すれば、前側の壁部のうちの可動壁部以外の部分、後側の壁部、左右両側の壁部および天面フード部）および保育器基台のそれぞれが、容易に分離できないように、接着剤による接着などによって、順次一体的に結合されている。このために、特許文献１の保育器の複数台を貨物船舶、貨物鉄道、貨物自動車などの輸送手段によって同時に輸送する場合には、それぞれの閉鎖型保育器が比較的嵩高であるために、１台当りの閉鎖型保育器の輸送費用が比較的高額になる。
【０００５】
そして、特許文献１の保育器においては、前側、後側および左右両側の壁部、天面フード部ならびに保育器基台の間の相互の結合を分離することができないので、これらの壁部同士の隣接部分や、これらの壁部と天面フード部との隣接部分や、保育器基台とこれらの壁部との隣接部分（特に、互いに隣接する両者の隙間）などに、児の体液などが付着している場合には、清拭などによって綺麗に清掃することが比較的困難である。このために、上記体液などが上記隙間などに残ったままになる可能性があるので、別の児が上記保育器の児収容空間に収容される場合に、上記隙間などを予め綺麗に清掃することが比較的困難であり、この結果、上記別の児が感染症などにかかる可能性が高くなる。
【０００６】
また、特許文献１の保育器においては、前側、後側および左右両側の壁部と、天面フード部および保育器基台との間の結合を相互に分離することができない。このために、これらの壁部や天面フード部のうちの少なくとも１つが部分的または全体的に破損したときには、上記４枚の壁部と上記天面フード部と上記保育器基台とから構成されているエンクロージャと保育器基台との組み合わせ構造の全体を交換する必要がある。
【０００７】
本発明は、従来の保育器における上述のような欠点を、比較的簡単な構成でもって、効果的に是正し得るようにしたものである。
【課題を解決するための手段】
【０００８】
本発明は、臥床架を支持することができる保育器基台と、児収容空間の外周囲を形成するために、上記保育器基台にそれぞれ取り付けられている第１、第２、第３および第４の壁部によって構成されている周囲枠部と、上記児収容空間の上面を形成するために、上記第１〜第４の壁部のうちの少なくとも１つの壁部に取り付けられている天面フードとを備えている保育器において、上記天面フードが、上記周囲枠部のうちの上記少なくとも１つの壁部に、第１のラッチ機構によって着脱自在に取り付けられ、上記第１のラッチ機構がラッチ解除状態に持ち来たされることによって、上記天面フードが、上記第１のラッチ機構によるラッチを解除されて、上記周囲枠部から取り外され得るように構成され、上記第１〜第４の壁部のそれぞれが、上記保育器基台に第２、第３、第４および第５のラッチ機構のそれぞれによって着脱自在に取り付けられ、上記第２〜第５のラッチ機構のうちのいずれかのラッチ機構がラッチ解除状態に持ち来たされることによって、このラッチ解除状態に持ち来たされた上記いずれかのラッチ機構にラッチされていた上記壁部が、このいずれかのラッチ機構によるラッチを解除されて、上記保育器基台から取り外され得るように構成されていることを特徴とする保育器に係るものである。
【０００９】
なお、本発明の第１の観点においては、上記保育器基台を支持することができる保育器基台支持機構をさらに備えている。そして、本発明の上記第１の観点の第１の態様においては、上記保育器基台支持機構が、少なくとも１つの側面のほぼ全体が開口することによって形成されている開口部を有する台車本体と、この台車本体の上記開口部を開閉するために、この台車本体に回動可能にそれぞれ取り付けられた左右一対の開閉扉と、上記保育器を移動させるのに用いるために、上記台車本体に配設された車輪とを備えている。また、本発明の上記第１の観点の上記第２の態様においては、上記保育器基台支持機構が、その上端部が保育器基台の下端部に連結されている支柱部と、この支柱部の下端部を支持している台車本体と、この台車本体の一方の側の端部とこの一方の側とは反対側である他方の側の端部とにそれぞれ連結されている一対の脚部と、上記一対の脚部のそれぞれの両端部にそれぞれ取り付けられている車輪とを備えている。
【００１０】
そして、本発明の第２の観点においては、上記児収容空間の上記外周囲が、上記児収容空間を平面的に見て、ほぼほぼ長方形状である。また、本発明の第３の観点においては、上記天面フードが、上記第１〜第４の壁部のうちの少なくとも２つの固定側の壁部のそれぞれに、上記第１のラッチ機構のそれぞれによって着脱自在に取り付けられている。また、本発明の上記第３の観点の第１の態様においては、上記第１〜第４の壁部のうちの上記固定側の壁部を除く少なくとも１つの可動側の壁部の下端部が、上記保育器基台に回動自在に軸支され、上記少なくとも１つの可動側の壁部が、その下端部を回動支点として、ほぼ直立した状態とほぼ下垂した状態との間を往復回動し得るように構成されている。さらに、本発明の第４の観点においては、上記保育器が閉鎖型保育器である。
【発明の効果】
【００１１】
請求項１に記載の発明によれば、保育器の構成部材のうちの、周囲枠部を構成する第１〜第４の壁部のそれぞれと、天面フードとのそれぞれが、保育器基台に直接または間接的に（換言すれば、正式に）取り付けられていない状態において、保育器の構成部材の総てを輸送するのが、比較的簡単であるから、保育器の総ての構成部材を輸送するための輸送費を比較的低額に抑えることができる。しかも、保育器基台、第１〜第４の壁部のそれぞれおよび天面フードのそれぞれを綺麗に清掃する作業が比較的簡単であるので、児の体液などが天面フード、第１〜第４の壁部および保育器基台の相互の間に付着していても、別の児が感染症などにかかるのを比較的簡単に防止することができる。また、保育器基台、第１〜第４の壁部および天面フードのうちの少なくとも１つが部分的または全体的に破損したときに、この破損した部分を修復したり、この破損した部分の部品を交換したりする作業が、一般的には比較的簡単である。
【００１２】
そして、請求項２に記載の発明によれば、保育器基台を支持することができる保育器基台支持機構を備えているから、保育器基台（ひいては、周囲枠部および天面フードがそれぞれ取り付けられた保育器基台）をテーブルや机の上などに載置する必要が特にない。このために、保育器基台、周囲枠部および天面フードを適当な箇所に比較的安全な状態において配置するのが、比較的簡単である。また、請求項３に記載の発明によれば、第１〜第４の壁部のそれぞれや天面フードなどのそれぞれを台車本体の開口部を通して台車本体内に収納することができるから、第１〜第４の壁部のそれぞれや天面フードなどのそれぞれが保育器基台から取り外されている状態であっても、保育器の体裁が良く、しかも、第１〜第４の壁部のそれぞれや天面フードなどのそれぞれが損傷するおそれが少ない。
【００１３】
そして、請求項４に記載の発明によれば、第１〜第４の壁部のそれぞれや天面フードなどのそれぞれを、保育器基台の下方の空間に収納することができる。このために、第１〜第４の壁部のそれぞれや天面フードなどのそれぞれが保育器基台から取り外されかつ保育器基台および保育器基台支持機構が包装用容器に収納されているときでも、保育器の体裁が良く、しかも、第１〜第４の壁部のそれぞれや天面フードなどが損傷するおそれが少ない。
【００１４】
そして、請求項５に記載の発明によれば、児収容空間の外周囲が、この児収容空間を平面的に見て、ほぼ長方形状であるから、保育器や保育器の構成部材をほぼ直方体形状の段ボール箱などの包装用容器に比較的簡単かつ確実に収納して梱包することができ、このために、輸送時の取り扱いが簡便である。また、請求項６に記載の発明によれば、天面フードが、少なくとも２つの固定側の壁部のそれぞれに、第１のラッチ機構のそれぞれによって着脱自在に取り付けられている。このために、天面フードを比較的安定した状態でもって周囲枠部に確実に取り付けることができる。さらに、請求項７に記載の発明によれば、少なくとも１つの可動側の壁部が、その下端部を回動支点として、ほぼ直立した状態とほぼ下垂した状態との間を往復回動することができる。このために、医師や看護師などは、保育器の児収容空間内の児に対して、比較的簡単に各種の処置を施すことができる。そして、請求項８に記載の発明によれば、保育器が閉鎖型の保育器であるから、比較的簡単な構造でかつ比較的故障し難い保育器を提供することができる。
【図面の簡単な説明】
【００１５】
【図１】本発明を閉鎖型保育器に適用した第１の実施例における保育器の斜視図である。（実施例１）
【図２】図１に示す保育器における、天面フードと脚側の壁部との連結機構および前側の壁部のロック機構をそれぞれ示す斜視図である。（実施例１）
【図３】図２に示す天面フードと脚側の壁部との連結機構を、天面フードが脚側の壁部から分離されている第１の分離状態において示す平面図である。（実施例１）
【図４】図２に示す天面フードと脚側の壁部との連結機構を、天面フードが脚側の壁部から分離されている第２の分離状態において示す平面図である。（実施例１）
【図５】図２に示す天面フードと脚側の壁部との連結機構を、天面フードが脚側の壁部上に載置されかつ連結機構が機能していない状態において示す平面図である。（実施例１）
【図６】図２に示す天面フードと脚側の壁部との連結機構を、天面フードが脚側の壁部上に載置されかつ連結機構が機能している状態において示す平面図である。（実施例１）
【図７】図１に示す保育器における、保育器基台と脚側の壁部との連結機構および保育器基台と前側の壁部との連結機構をそれぞれ示す斜視図である。（実施例１）
【図８】図１に示す保育器を、天面フード、頭側の壁部、脚側の壁部、前側の壁部および後側の壁部をそれぞれ取外した状態で示す斜視図である。（実施例１）
【図９】図８に示す保育器を、保育器基台からベビーガード用の壁部を分離させた状態で示す斜視図である。（実施例１）
【図１０】図１に示す保育器を、この保育器の使用状態とほぼ同一の状態で梱包した梱包状態で概略的に示す斜視図である。（実施例１）
【図１１】図１に示す保育器を、天面フード、頭側の壁部、脚側の壁部、前側の壁部および後側の壁部を保育器本体からそれぞれ取外してから、保育器本体、天面フード、脚側の壁部および前側の壁部のそれぞれを個別に梱包した梱包状態で概略的に示す斜視図である。（実施例１）
【図１２】図１１に示す保育器を、天面フード、頭側の壁部、脚側の壁部、前側の壁部および後側の壁部のそれぞれを保育器本体の物品収納用空間に収納した物品収納状態で概略的に示す斜視図である。（実施例１）
【図１３】図１に示す保育器を、天面フード、頭側の壁部、脚側の壁部、前側の壁部および後側の壁部を保育器基台からそれぞれ取り外すとともに、台車と保育器基台とに分離してから、保育器基台、天面フード、頭側の壁部、脚側の壁部、前側の壁部および後側の壁部と、台車とのそれぞれを個別に梱包した梱包状態で概略的に示す斜視図である。（実施例１）
【図１４】本発明を閉鎖型保育器に適用した第２の実施例における保育器の斜視図である。（実施例２）
【図１５】図１４に示す保育器を、天面フード、頭側の壁部、脚側の壁部、前側の壁部および後側の壁部のそれぞれを個別に梱包してメイン支柱の外周囲に配置してから全体的に梱包した梱包状態で概略的に示す斜視図である。（実施例２）
【発明を実施するための形態】
【００１６】
つぎに、本発明を閉鎖型保育器にそれぞれ適用した第１および第２の実施例を、「１、第１の実施例」および「２、第２の実施例」に項分けして、図面を参照しつつ説明する。
【００１７】
１、第１の実施例
【００１８】
まず、本発明の第１の実施例を、「（１）保育器全体の概略的な説明」、「（２）頭側、脚側、前側および後側の壁部の説明」、「（３）天面フードの説明」、「（４）保育器基台と頭側および脚側の壁部との連結機構の説明」、「（５）保育器基台と前側および後側の壁部との連結機構の説明」、「（６）天面フードと周囲壁部との連結機構の説明」および「（７）保育器の梱包の仕方の説明」に項分けして、図１〜図１２を参照しつつ説明する。
【００１９】
（１）保育器全体の概略的な説明
【００２０】
閉鎖型保育器１１は、図１などに示すように、平面的に見てほぼ長方形（換言すれば、ほぼ直方体形状）などの保育器基台１２と、この保育器基台１２のほぼ外周囲に沿ってこの保育器基台１２上に立設されているほぼ直方体形状などのエンクロージャ１３と、保育器基台１２をそのほぼ上面に取り付け固定している保育器基台支持手段または保育器基台支持機構としての台車１４とをそれぞれ備えている。そして、エンクロージャ１３は、取り付けおよび取り外しがそれぞれ容易なように、保育器基台１２上に取り付け固定されている。また、台車１４は、この台車１４の下側面のほぼ四隅のそれぞれに、保育器１１を移動させるのに用いられる車輪１５を取付け支持されている。なお、保育器基台１２は、必要に応じて、取付けおよび取外しがそれぞれ容易なように台車１４に取り付け固定されていてもよいし、一旦取付けられた後には容易に取り外しができないように取り付け固定されていてもよい。例えば、保育器基台１２は、ボルトとナットとから成る連結具（図示せず）によって、台車１４に取り外し可能に取り付け固定されていてもよい。
【００２１】
エンクロージャ１３は、このエンクロージャ１３に収容されている児の頭側の壁部を構成している頭側の壁部（換言すれば、エンクロージャ１３の長く延在する長さ方向に延在している一対の壁部のうちの一方の側の壁部）２１と、児の脚側の壁部を構成している脚側の壁部（換言すれば、エンクロージャ１３の長く延在する長さ方向に延在している一対の壁部のうちの他方の側の壁部であって、第１の壁部２１にほぼ対向している第２の壁部）２２と、前側の壁部（児の右側の壁部であって、エンクロージャ１３の短く延在する幅方向に延在している一対の壁部のうちの一方の側の壁部である第３の壁部）２３と、後側の壁部（児の左側の壁部であって、エンクロージャ１３の短く延在する幅方向に延在している一対の壁部のうちの他方の側の壁部である第４の壁部）２４と、これらの壁部２１〜２４によって囲まれている児収容空間２５の上面のほぼ全体を覆うように配設されている天面フード２６とをそれぞれ備えている。なお、エンクロージャ１３は、そのほぼ全体がほぼ透明、ほぼ半透明などであってよい。そして、壁部２１〜２４および天面フード２６のそれぞれは、例えば、ほぼ透明なアクリル樹脂などのほぼ透明な熱可塑性合成樹脂、ほぼ透明、ほぼ半透明などのその他の合成樹脂などのほぼ透明、ほぼ半透明などの材料から、構成されていてよい。
【００２２】
台車１４は、そのほぼ全体がスチール製などの金属製であってよく、また、ほぼ直方体形状などのほぼ箱形の形状であってよい。そして、台車１４は、前側の面などの少なくとも１つの側面のほぼ全体などが開口することによって形成されている開口部３２を有する台車本体３１と、この台車本体３１の開口部３２を開閉するために、この台車本体３１に回動可能にそれぞれ取り付けられている左右一対の開閉扉３３ａ、３３ｂとをそれぞれ備えている。なお、左側の開閉扉３２ａは、台車本体３１の左側の端部付近を回動支点として往復回動し得るように、台車本体３１に取り付けられている。また、右側の開閉扉３３ｂは、台車本体３１の右側の端部付近を回動支点として往復回動し得るように、台車本体３１に取り付けられている。
【００２３】
基台１２の左側の壁部３４および右側の壁部３５のそれぞれの上部付近の外側面には、左側の把手部３６および右側の把手部３７がそれぞれ取り付け固定されている。なお、左側および右側の把手部３６、３７は、扁平なほぼＵ字形状であってよい。そして、これらの把手部３６、３７のそれぞれの両端部は、左側の壁部３４および右側の壁部３５のそれぞれに、取り付け固定または一体成形されていてよい。さらに、基台１２の左側の側面部には、加湿器ユニット４１が、引き抜きによって基台１２から取り出すことができるように、着脱可能に装着されている。そして、基台１２の右側の側面部には、エンクロージャ１３の内部に配設されている臥床架４２（図８参照）の頭側の部分４３から脚側の部分４４に掛けての傾斜角度を調整するのに用いられる角度調整用摘み４５が、配設されている。
【００２４】
臥床架（換言すれば、臥床台）４２の頭側、脚側、前側および後側の端部のそれぞれには、図８および図９に示すように、頭側の補助壁部６７、脚側の補助壁部６８、前側の補助壁部６９および後側の補助壁部７０がそれぞれ配設されている。具体的には、臥床架４２の頭側、脚側、前側および後側のそれぞれの端部には、一対ずつの差し込み用スリット７８、７９が、それらの長さ方向に沿って、それぞれ配設されている。そして、補助壁部６７〜７０のそれぞれの一対ずつの差し込み部８８、８９のそれぞれがこれらの差し込み用スリット７８、７９に差し込まれることによって、補助壁部６７〜７０が、比較的簡単に取り外すことができるように、臥床台４２にそれぞれ取り付け固定されている。なお、これらの補助壁部６７〜７０は、臥床架４２上に配設されているマット８０上に横たわっている新生児などの児がマット８０上から食み出すのを、ほぼ完全に防止することができる。
【００２５】
（２）頭側、脚側、前側および後側の壁部の説明
【００２６】
頭側の壁部２１は、図１、図１１などに示す脚側の壁部２２とほぼ同一の大きさでかつほぼ同一の形状であってよい。そして、頭側の壁部２１および脚側の壁部２２のそれぞれの中央部分には、図１などに示すように、布製などの絞り窓４６が取付けられている手挿入用開口４７が形成されている。また、頭側の壁部２１および脚側の壁部２２のそれぞれの前側の部分および後側の部分のそれぞれには、切り込みが形成されている。そして、これらの切り込みには、グロメット部材５１がそれぞれ取り付けられている。なお、頭側の壁部２１および脚側の壁部２２のそれぞれの上端付近には、図１、図２、図３などに示すように、前後一対のラッチ機構５０のそれぞれの被係合部５２が一体成形などによってそれぞれ配設されている。そして、頭側の壁部２１の後側の端部および脚側の壁部２２の前側の端部のそれぞれの上端部付近には、図２、図１１などに示すように、被係合部としてのラッチ受け部５３が一体成形などによって配設されている。なお、頭側の壁部２１のうちの後側の端部の付近でかつ上側の端部の付近には、酸素センサなどの補助的な器具を取り付けるための開口（図示せず）が形成されている。
【００２７】
図１、図１１などに示す前側の壁部２３は、後側の壁部２４とほぼ同一の大きさでかつほぼ同一の形状であってよい。そして、前側の壁部２３および後側の壁部２４のそれぞれの左側部分および右側部分のそれぞれには、左側の手入れ窓５４および右側の手入れ窓５５がそれぞれ配設されている。なお、符号５６は、左側および右側の手入れ窓５４、５５のそれぞれの回動軸部である。そして、符号５７は、左側および右側の手入れ窓５４、５５のそれぞれのラッチ機構である。
【００２８】
基台１２の前側の部分６１および後側の部分６２のそれぞれの上端部付近の左右両側部分付近には、図１などに示すように、左側のヒンジ部６３および右側のヒンジ部６４が回動軸部（図示せず）によって往復回動可能に配設されている。そして、前側の壁部２３および後側の壁部２４のそれぞれには、これらの壁部２３、２４が閉鎖状態になっているときに天面フード２６の前側および後側の下端部のそれぞれと係合する左右一対の第１のラッチ機構６５が、それぞれ配設されている。なお、第１のラッチ機構６５のそれぞれは、前側の壁部２３および後側の壁部２４のうちのいずれか一方の壁部に回動可能に軸支されている共通の軸部６６と、これら共通の軸部６６の外側の端部と内側の端部とにそれぞれ固定されている外側のラッチレバー部７１および内側のラッチレバー部７２とを備えている。さらに、前側の壁部２３および後側の壁部２４のそれぞれの左側の端部付近（換言すれば、これらの壁部２３、２４のそれぞれの外側から向って右側の端部付近）でかつ上側の端部付近には、図２などに示すように、ラッチ機構７３の係合部としてのラッチレバー部７４と、このラッチレバー部７４を壁部２３、２４に取り付け支持するためのレバー支持部７７とが、それぞれ配設されている。そして、前側または後側の壁部２３、２４を開放するときには、レバー支持部７７に対してラッチレバー７４を往動操作することによって、ラッチレバー７４を被係合部５３から離脱させた後に、前側または後側の壁部２３、２４を開放させればよい。
【００２９】
（３）天面フードの説明
【００３０】
天面フード２６は、図１、図１０などに示すように、ほぼ四角錐台形状などであってよく、そして、その下面が全面的に開口している中空体であってよい。なお、頭側の壁部２１、脚側の壁部２２、前側の壁部２３および後側の壁部２４によって、平面的に見てほぼ長方形状（換言すれば、上面および下面のそれぞれが全体的に開口しているほぼ角筒形状）などの周囲枠部７５が構成されている。そして、周囲枠部７５と、この周囲枠部７５の上面開口を選択的に覆うことができる天面フード２６とによって、エンクロージャ１３が構成されている。
【００３１】
天面フード２６の頭側の端部および脚側の端部のそれぞれの前側の部分および後側の部分のそれぞれには、図１、図３、図１１などに示すように、前後一対のラッチ機構５０の係合部７６がそれぞれ配設されている。なお、係合部７６は、天面フード２６の下端部に一体成形などによって配設されているラッチ部材用の支持部８１と、これらの支持部８１のそれぞれにほぼ前後方向に摺動可能にそれぞれ取り付けられているラッチ部材８２とを備えている。
【００３２】
（４）基台と頭側および脚側の壁部との連結機構の説明
【００３３】
図１などにそれぞれ示す頭側の壁部２１および脚側の壁部２２のそれぞれは、ほぼ直立している壁部本体８３と、この壁部本体８３の下端部から内方に向って一体的に突設していて壁部本体８３の下端部のほぼ全長に渡って延在している被取り付け部８４とをそれぞれ備えている。そして、被取り付け部８４のそれぞれには、ほぼ前後方向に沿って細長く延在していてほぼ長円形状であってよい前後一対の係合用開口８５がそれぞれ形成されている。また、保育器基台１２の左側の側端部および右側の側端部８７のそれぞれの前端部付近および後端部付近のそれぞれには、ほぼ前後方向に沿って細長く延在していてほぼ長円形状であってよい位置決め用の前側突出部９１および位置決め用の後側突出部９２のそれぞれが、左側の側端部８６および右側の側端部８７に、それぞれ一体的などでもって固定されている。さらに、前側の突出部９１および後側の突出部９２のそれぞれの上側面には、これらの突出部９１、９２のそれぞれとほぼ同形であってよい前側の係止用レバー９３および後側の係止用レバー９４のそれぞれが、回動可能に取り付けられている。
【００３４】
図１、図７などに示す脚側の壁部２２を保育器基台１２に取り付け固定するときには、前側および後側の係止用レバー９３、９４の長さ方向を保育器基台１２の前後方向とほぼ一致させる。ついで、脚側の壁部２２の被取り付け部８４を保育器基台１２の左側の側端部８６上に載置させる。この載置に際しては、前側および後側の突出部９１、９２および前側および後側の係止用レバー９３、９４のそれぞれを、前側および後側の係合用開口８５に、相対的に嵌合または挿入させる。ついで、前側および後側の係止用レバー９３、９４のそれぞれを、手動などによって、例えばほぼ９０°回動させる。この結果、前側および後側の突出部９１、９２が前側および後側の係合用開口８５から相対的に抜け出すことが、前側および後側の係止用レバー９３、９４によって、効果的に阻止される。このために、頭側の壁部２１および脚側の壁部２２のそれぞれが、前側および後側の係止用レバー９３、９４によって、保育器基台１２のほぼ上面に安定的にかつ強固に取り付け固定される。したがって、頭側の壁部２１および／または脚側の壁部２２を、保育器基台１２に取り付けたり、保育器基台１２から取り外したりする操作を、比較的簡単にかつ比較的確実に行うことができる。
【００３５】
（５）基台と前側および後側の壁部との連結機構の説明
【００３６】
図１などにそれぞれ示す前側の壁部２３および後側の壁部２４のそれぞれは、回動軸部（図示せず）によって保育器基台１２に往動回動可能に支持されている。具体的には、保育器基台１２の前側の部分６１および後側の部分６２のそれぞれの上端部付近の左右両側端部の付近には、図８などに示すように、左側の凹部９７および右側の凹部９８がそれぞれ形成されている。そして、これらの凹部９７、９８のそれぞれの左右方向における中心側の壁部９９には、嵌合孔１００が配設されている。また、前側の壁部２３および後側の壁部２４のそれぞれには、図１、図７などに示すように、前側の壁部２３および後側の壁部２４のそれぞれの左右方向における中心側に向って突出している上記回動軸部が、配設されている。
【００３７】
図７に示す摺動操作部などの操作部１０７のそれぞれは、取り付け固定、単なる連動構造、一体成形などによって、上記回動軸部のそれぞれに連動可能な状態でもって係合し得るように、前側の壁部２３および後側の壁部２４のヒンジ部６３、６４のそれぞれに配設されている。そして、操作者が手動によって操作部１０７を操作することによって、前側の壁部２３および後側の壁部２４のそれぞれの左右方向における中心側とはほぼ反対側に向って、操作部１０７をスライド（換言すれば、往動操作）させることができる。したがって、図８に示すように、左右一対の上記回動軸部を保育器基台１２の嵌合孔１００からそれぞれ抜き出すことができるので、前側の壁部２３および後側の壁部２４のそれぞれを、保育器基台１２から、きわめて容易に取り外すことができる。そして、前側の壁部２３および後側の壁部２４のそれぞれを基台１２に再び取り付けるときには、上述の取り外し操作のときとはほぼ逆の取り付け操作を行えばよい。
【００３８】
（６）天面フードと周囲壁部との連結機構の説明
【００３９】
前側の壁部２３、頭側の壁部２１、後側の壁部２４および脚側の壁部２２によって、図１などに示すように、上端および下端がそれぞれほぼ全面的に開口している周囲枠部７５が、構成されている。そして、周囲枠部７５の上端開口のほぼ全面は、天面フード２６によって覆われている。
【００４０】
天面フード２６の左側の下端部および右側の下端部のそれぞれは、図２、図４などに示すように、前後一対のラッチ機構５０のそれぞれによって、頭側の壁部２１および脚側の壁部２２にそれぞれ取り付け固定されている。そして、頭側および脚側の壁部２１、２２にそれぞれ配設されている被係合部５２のそれぞれが、天面フード２６にそれぞれ配設されているラッチ部材用の支持部８１に、それぞれ係合することによって、天面フード２６の頭側の壁部９５および天面フード２６の脚側の壁部９６のそれぞれが、周囲壁部７５の頭側および脚側の壁部２１、２２のそれぞれに連結される。具体的には、係合部７６のラッチ部材用支持部８１は、図４などに示すように、一体成形などによって天面フード２６に連結されている。そして、支持部８１のそれぞれは、ラッチ部材８２をガイドするための上側のガイド部１０１および下側のガイド部１０２を、それぞれ備えている。また、支持部８１のそれぞれの下側端部には、頭側および脚側の壁部２１、２２のそれぞれの上側の被係合部５２にほぼ対応するように、欠如部１０３がそれぞれ形成されている。
【００４１】
ラッチ部材８２のそれぞれには、図３などに示すように、支持部８１のそれぞれの上側のガイド部１０１および下側のガイド部１０２によってそれぞれガイドされる上側の被ガイド部１０４および下側の被ガイド部１０５が、それぞれ形成されている。そして、ラッチ部材８２のそれぞれの外側面には、これらのラッチ部材８２のほぼ上端からほぼ下端までほぼ上下方向に延在している操作用突条部１０６が、それぞれ突設されている。また、ラッチ部材８２には、上側の被ガイド部１０４と下端のガイド部１０５との間において、貫通孔から成っていてよい窓孔１１１が形成されている。さらに、ラッチ部材用の支持部８１のそれぞれの上側のガイド部１０１の前後方向における両端部には、前後一対のストッパ部１１２、１１３がそれぞれ突設されている。そして、それぞれの支持部８１の前後方向における中間部分には、カラーラベルであってよいインジケータ用のラベル１１４がそれぞれ配設されている。なお、インジケータ用のラベル１１４のそれぞれは、支持部８１のほぼ長さ方向において順次延在している第１の色部分（例えば、緑色）１１５ａおよび第２の色部分（例えば、赤色）１１５ｂをそれぞれ備えていてよい。
【００４２】
天面フード２６の頭側の壁部９５および脚側の壁部９６のそれぞれの下端部は、図１などに示すように、頭側および脚側のそれぞれの前後一対のラッチ機構５０によって、周囲枠部７５の頭側および脚側の壁部２１、２２の上端部に、それぞれ取外し可能な状態でもって、取り付け固定されることができる。具体的には、天面フード２６の頭側の壁部９５および脚側の壁部９６のそれぞれの係合部７６のそれぞれを、図４、図５などに示すように、頭側および脚側の壁部２１、２２のそれぞれの上端部にそれぞれ配設されている被係合部５２に、係合させる。ついで、例えば、取扱者が操作用突条部１０６を２本の指で摘んで操作することによって、ラッチ部材８２のそれぞれを、図５、図６などに示すように、ラッチ部材用の支持部８１の上側および下側のガイド部１０１、１０２に沿ってかつ図３における右側から左側に向って摺動させる。この結果、ラッチ部材８２の上側および下側の被ガイド部１０４、１０５が、ラッチ部材用の支持部８１の上側のガイド部１０１および下側のガイド部１０２にそれぞれ案内される。このために、ラッチ部材８２は、図５に示す復動位置から図６に示す往動位置へと往動する。したがって、ラッチ部材用の支持部８１（ひいては、天面フード２６の頭側壁部９５または脚側の壁部９６の下端部付近）が、頭側の壁部２１または脚側の壁部２２のそれぞれの上端部付近に、取り付け支持される。
【００４３】
ラッチ部材８２が、図５に示すように、ラッチ部材用支持部８１に対する復動位置に有るときには、窓孔１１１には、第２の色部分（例えば、赤色）が表われている。そして、ラッチ部材８２が、図６に示すように、ラッチ部材用支持部８１に対する往動位置に有るときには、窓孔１１１には、第１の色部分（例えば、緑色）が表われている。したがって、取扱者は、窓孔１１１に表われている色を識別することによって、ラッチ機構５０のそれぞれが天面フード２６の所定の箇所を頭側または脚側の壁部２１、２１の所定の箇所に確実に取り付け支持しているか否かを、簡単かつ確実に視認することができる。
【００４４】
前側の壁部２３および後側の壁部２４のそれぞれを図２などに示す復回動位置に確実に保持するために、図２などに示すラッチ機構６５が、前側の壁部２３および後側の壁部２４のそれぞれに配設されている。なお、ラッチ機構６５を図２に示すほぼ直立した状態以外の状態（例えば、ほぼ下垂した状態またはほぼ横倒しの状態）にしておいてから、前側または後側の壁部２３、２４のそれぞれを開放位置から閉鎖位置に回動させた後に、ラッチ機構６５を軸部６６を支点としてそれぞれ回動させることによって、ほぼ直立した状態にすることができる。そして、この回動によって、前側または後側の壁部２３、２４を閉鎖位置に確実にかつ簡単にロックすることができる。また、上述の場合とは逆の操作を行うことによって、上記ロックを解除することができる。なお、前側または後側の壁部２３、２４のそれぞれを開放させるときには、上記ロック解除を行った後に、前記「（２）頭側、脚側、前側および後側の壁部の説明」の項において説明したように、ラッチレバー７４を係合部５３から離脱させればよい。
【００４５】
（７）保育器の梱包の仕方の説明
【００４６】
図１などに示す閉鎖型保育器１を搬送などのために包装する必要が有るときには、保育器１をダンボールなどの紙製、プラスチック製、木製などの包装用容器に収納することができる。なお、図１０には、閉鎖型保育器１の全体（換言すれば、エンクロージャ１３が保育器基台１２から取り外されていない状態での保育器）が、ほぼ直方体形状であってよい比較的大きな単一の包装用容器（例えば、少なくとも１つの面が開閉可能であるダンボール箱）１２１に単に収納されて梱包された状態が、示されている。この場合には、閉鎖型保育器１が嵩高であるので、この閉鎖型保育器１の全体がほぼ丁度収納され得るサイズであるのが好ましい嵩高な包装用容器１２１を用いる必要がある。
【００４７】
図１１には、閉鎖型保育器１のうちのエンクロージャ１３が保育器基台１２から取り外されている状態が、示されている。そして、この状態においては、周囲枠部７５が保育器基台１２から取り外されている。また、天面フード２６が周囲枠部７５から取り外されている。さらに、周囲枠部７５は、頭側の壁部２１、脚側の壁部２２、前側の壁部２３および後側の壁部２４にそれぞれ分離されている。
【００４８】
図１に示す保育器基台１２からエンクロージャ１３を取り外すときには、例えば、つぎに記載の順序で行うことができる。まず第１に、前側の壁部２３および後側の壁部２４のそれぞれを、保育器基台１２から、それぞれ取り外す。この場合には、前述のような操作を行うことによって、前側の壁部２３および後側の壁部２４のそれぞれを、図７に示すように開放状態にしてから、左右両側の操作部１０７を、前述のように往動操作させる。そして、左右一対の前記回動軸部を保育器基台１２の嵌合孔１００からそれぞれ抜き出す。このために、前側の壁部２３および後側の壁部２４のそれぞれが、取扱者などによって、保育器基台１２からきわめて容易に取り外されることができる。
【００４９】
ついで、図１、図２などに示すように、頭側の壁部２１および脚側の壁部２２にそれぞれ取り付けられている天面フード２６を、これらの壁部２１、２２から取り外す。この場合には、ラッチ機構５０による壁部２１、２２への天面フード２６の取り付けについての既述の場合とはほぼ逆の操作を行うことによって、天面フード２６を壁部２１、２２から取り外すことができる。ついで、保育器基台１２にそれぞれ取り付けられている頭側および脚側の壁部２１、２２のそれぞれを、保育器基台１２からそれぞれ取り外す。この場合には、前側および後側の係止用レバー９３、９４による保育器基台１２への頭側および脚側の壁部２１、２２の取り付けについての既述の場合とはほぼ逆の操作を行うことによって、頭側および脚側の壁部２１、２２のそれぞれを、保育器基台１２から取り外せばよい。ついで、臥床架４２の頭側、脚側、前側および後側のそれぞれの端部にそれぞれ配設されている補助壁部６７〜７０のそれぞれを取り外す。具体的には、これらの補助壁部６７〜７０のそれぞれを臥床架４２の差し込み用スリット７８、７９からそれぞれ抜き出す。
【００５０】
ついで、保育器基台１２が載置されて取り付けられている台車１４は、図１１に示すように、包装用容器１２１よりは或る程度小さい包装用容器１２２に収納されて梱包される。そして、前側および後側の壁部２３、２４のそれぞれが、これらの壁部２３、２４のそれぞれをほぼ丁度収納し得るサイズであってよい包装用容器１２３にそれぞれ収納されて梱包される。また、頭側の壁部２２および脚側の壁部２３のそれぞれが、これらの壁部２２、２３のそれぞれをほぼ丁度収納し得るサイズであってよい包装用容器１２４にそれぞれ収納されて梱包される。さらに、天面フード２６も、この天面フード２６をほぼ丁度収納し得るサイズであってよい包装用容器１２５に収納されて梱包される。なお、包装用容器１２２〜１２５のそれぞれは、例えば、ほぼ直方体形状であってよくかつ少なくとも１つの面が開閉可能（換言すれば、開閉自在）であってよいダンボール箱であってよい。そして、保育器基台１２付きの台車１４、前側の壁部２３、後側の壁部２４、頭側の壁部２１、脚側の壁部２２および天面フード２６のそれぞれは、保育器基台１２に直接または間接的に取り付けられる以前の状態において、包装用容器１２２〜１２５のうちのほぼ好適なサイズの１つにそれぞれ収納されて梱包されてもよい。
【００５１】
図１２には、図１１にそれぞれ示す包装用容器１２３、１２４、１２５が包装用容器１２２内に収納されている状態が示されている。そして、この図１２に示す例においては、保育器基台１２付きの台車１４は、この台車１４の前面に開口部３２を有する物品収納空間を備えている。また、上記物品収納空間は、台車１４のうちの平面的に見てほぼコ字状の枠体１２６と、上記物品収納空間の前面を開閉することができる左右一対の開閉扉３１ａ、３１ｂとによって、包囲されている。なお、枠体１２６は、上面側の板状部と下面側の板状部とを備えているので、左右一対の開閉扉３１ａ、３１ｂを含めて、ほぼ直方体形状に構成されている。そして、図１２においては、天面フード２６が収納されている包装用容器１２５と、前側および後側の壁部２２、２３がそれぞれ収納されている一対の包装用容器１２３、１２７とが、上記下面側の板状部上に、ほぼ下方からほぼ上方に向かってそれぞれ積み重ねられている。また、頭側および脚側の壁部２１、２２がそれぞれ収納されている一対の包装用容器１２４、１２８のそれぞれが、包装用容器１２７上にそれぞれ積み重ねられている。この場合、一方の包装用容器１２８は、他方の包装用容器１２４のほぼ左側において、この他方の包装用容器１２４にほぼ隣接していてよい。なお、補助壁部６７〜７０のそれぞれは、個別にまたはひとまとめにしてから、布製、紙製などの収納用袋（図示せず）に収納した後に、例えば、天面フード２６の内側の部分に収納
することができる。
【００５２】
図１３には、閉鎖型保育器１のうちの保育器基台１２とエンクロージャ１３とが台車１４から取り外されている状態が、示されている。そして、この状態においては、保育器基台１２とエンクロージャ１３との組み合わせ構造が台車１４から取り外されている。なお、この取り外しの際には、保育器基台１２を台車１４上に結合している結合具（図示せず）による両者の結合を解除してから、図１３に示すように、上記組み合わせ構造を台車１４から分離させればよい。
【００５３】
ついで、台車１４は、図１３に示すように、図１１に示す包装用容器１２２よりもさらに或る程度小さい包装用容器１２９に収納されて梱包されることができる。そして、保育器基台１２は、包装用容器１２９とほぼ同一のサイズまたは多少異なるサイズであってよい包装用容器１３０に収納されて梱包されることができる。さらに、天面フード２６、頭側の壁部２１、脚側の壁部２２、前側の壁部２３および後側の壁部２４のそれぞれは、図１１に示す場合とそれぞれほぼ同一のサイズまたは多少異なるサイズであってよい包装用容器１２５、１２４ａ、１２４ｂ、１２３ａ、１２３ｂのそれぞれに、収納されて梱包されることができる。なお、包装用容器１２９、１３０、１２５、１２４ａ、１２４ｂ、１２３ａ、１２３ｂのそれぞれは、例えば、ほぼ直方体形状であってよくかつ少なくとも１つの面が開閉可能（換言すれば、開閉自在）であってよい段ボール箱などであってよい。そして、天面フード２６、頭側の壁部２１、脚側の壁部２２、前側の壁部２３および後側の壁部２４のそれぞれが梱包されている包装用容器１２５、１２４ａ、１２４ｂ、１２３ａ、１２３ｂのそれぞれは、例えば、図１３に示すように、これらの天面フード２６および壁部２１〜２４のそれぞれが保育器基台１２に本来取り付けられるべきそれぞれの位置の付近に配置されている状態でもって、包装用容器１３０に収納されて梱包されることができる。
【００５４】
図１に示す閉鎖型保育器１１の複数台を、図１０に示すようにそれぞれ梱包してから、貨物船舶、貨物鉄道、貨物自動車などの輸送手段によって同時に輸送する場合には、それぞれの閉鎖型保育器１１が比較的嵩高であるために、１台当りの閉鎖型保育器１１の輸送費用が比較的高額になる。しかし、図１に示す閉鎖型保育器１１の複数台を、図１１または図１２に示すように梱包してから、上記輸送手段によって同時に輸送する場合には、それぞれの閉鎖型保育器１１（換言すれば、保育器１１の構成部材の全体）がそれ程嵩高ではなくて比較的コンパクトであるために、１台当りの閉鎖型保育器１１の特に国外などへの輸送費用を比較的低額に抑えることができる。それでいて、図１１または図１２に示すように梱包されている閉鎖型保育器１１を、図１に示す状態に組み立てたり、復元したりする操作が、比較的簡単である。また、閉鎖型保育器１１を、図１１に示すように、台車１４付きの保育器基台１２、壁部２１〜２４および天面フード２６にそれぞれ分離することが、比較的容易である。このために、保育器基台１２、壁部２１〜２４および天面フード２６のうちの少なくとも１つを必要に応じて清拭などによって綺麗に清掃する作業が、比較的簡単である。したがって、壁部２１〜２４同士の隣接部分や、壁部２１〜２４と天面フード２６との隣接部分や、保育器基台１２と壁部２１〜２４との隣接部分（特に、互いに隣接する両者の隙間）などに、児の体液などが付着していても、別の児が閉鎖型保育器１１の児収容空間２５に収容される場合には、上記隙間などを清拭などによって予め綺麗に清掃することが比較的簡単である。この結果、上記別の児が感染症などにかかるのを、比較的簡単に防止することができる。さらに、保育器基台１２、壁部２１〜２４および天面フード２６を相互に分離するのが比較的容易であるから、保育器基台１２、壁部２１〜２４および天面フード２６のうちの少なくとも１つが部分的または全体的に破損したときに、この破損した壁部などを修復したり、この破損した壁部などやその部品を交換したりすればよく、このために、この交換などの作業が、比較的簡単であるとともに、その費用を低減させることができる。
【００５５】
２、第２の実施例
【００５６】
第２の実施例による閉鎖型保育器１３１の保育器基台１２およびエンクロージャ１３のそれぞれは、図１４および図１５にそれぞれ示すように、第１の実施例による閉鎖型保育器１１（図１参照）の保育器基台１２およびエンクロージャ１３のそれぞれと実質的に同一の構成であってよい。したがって、閉鎖型保育器１３１の保育器基台１２およびエンクロージャ１３の具体的な説明は、ここでは省略する。
【００５７】
閉鎖型保育器１３１の保育器基台支持手段または保育器基台支持機構としての台車１４は、図１４などに示すように、その上端部が保育器基台１２の下端部に連結されている支柱部１３２と、この支柱部１３２の下端部を支持している台車本体１３３と、この台車本体１３３の前側および後側の端部にそれぞれ連結されている前後一対のほぼ円弧状の脚部１３４ａ、１３４ｂとをそれぞれ備えている。そして、台車本体１３３のほぼ前側の部分には、左右一対の昇降用ペダル１３５ａ、１３５ｂがそれぞれ配設されている。なお、取扱者が左側のペダル１３５ａを足で踏み込むことなどによって、この左側のペダル１３５ａを下降させたときには、支柱部１３２がほぼ上方に向って延伸するので、保育器基台１２（ひいては、エンクロージャ１３）がほぼ上方に向って上昇する。そして、取扱者が左側の昇降用ペダル１３５ｂを足で踏み込むことなどによって、この右側の昇降用ペダル１３５ｂを下降させたときには、支柱部１３２がほぼ下方に向って縮小するので、保育器基台１２（ひいては、エンクロージャ１３）がほぼ下方に向って下降する。なお、前後一対の脚部１３４ａ、１３４ｂのそれぞれの左右両側部には、車輪１５がそれぞれ取り付けられている。そして、これらの車輪１５のそれぞれのほぼ上側には、個々の車輪１５の回動を停止させるときに取扱者が足などで踏み込むためのストッパ１３６がそれぞれ配設されている。
【００５８】
図１５には、図１４にそれぞれ示す前側および後側の壁部２３、２４、頭側および脚側の壁部２１、２２および天面フード２６のそれぞれが、図１１および図１２にそれぞれ示す場合と同様に、包装用容器１２３〜１２５、１２７、１２８にそれぞれ収納されている状態が、示されている。すなわち、図１５には、図１４に示す閉鎖型保育器１３１が台車１４付きの保育器基台１２および包装用容器１２３〜１２５、１２７、１２８にそれぞれ分離された状態でもって包装用容器１２２に収納されて梱包されている状態が、示されている。具体的には、閉鎖型保育器１３１を図１５に示すように梱包するためには、図１１および図１２に示す場合と同様にして、エンクロージャ１３を構成している４つの壁部２１〜２４および天面フード２６が、台車１４付きの保育器基台１２から個別に分離されて、それぞれ梱包される。そして、４枚の補助壁部６７〜７０（図８参照）のそれぞれも、図１１および図１２に示す場合と同様にして、臥床架４２から取り外されてから、例えば、天面フード２６とともに梱包されることができる。さらに、包装用容器１２３〜１２５、１２７、１２８のそれぞれは、支柱部１３２の外周囲でかつ保育器基台１２と脚部１３４ａ、１３４ｂとの間に収納されてから、台車１４付きの保育器基台１２と一緒に包装用容器１２２に収納されて梱包されることができる。
【００５９】
図１５に示す閉鎖型保育器１３１の複数台のそれぞれを、図１５に示すようにそれぞれ個別に梱包してから、前記輸送手段でもって同時に輸送する場合には、第１の実施例において既述したのと実質的に同様の効果を奏することができる。そして、図１５に示す閉鎖型保育器１３１によれば、図１に示す閉鎖型保育器１１の場合と同様に、閉鎖型保育器１３１の組み立てまたは復元の作業や、閉鎖型保育器１３１を台車１４付きの基台１２、壁部２１〜２４および天面フード２６に個別に分離する作業や、清掃、破損の修復および部品交換をそれぞれ行う作業が、比較的簡単である。
【００６０】
以上、本発明の第１および第２の実施例について詳細に説明した。しかし、本発明は、上述の第１および第２の実施例に限定されるものではなく、特許請求の範囲に記載されている発明の趣旨に基づいて各種の変更および修正が可能である。
【００６１】
例えば、上述の第１および第２の実施例においては、本発明を閉鎖型保育器に適用した。しかし、本発明は、閉鎖型保育器兼用の開放型保育器などの他の保育器にも適用することができる。そして、この場合には、天面フードを支持する支柱（図示せず）の高さを伸縮させることができるとともに、この支柱を保育器基台から取り外せるように、構成することができる。
【００６２】
また、上述の実施例においては、保育器支持機構（換言すれば、保育器支持手段）としての台車１４が、車輪１５を備えている。しかし、保育器支持機構１４は、車輪１５を必ずしも備えている必要はない。
【００６３】
また、上述の実施例においては、保育器１１が、台車（換言すれば、保育器支持機構または保育器支持手段）１４を備えている。しかし、保育器１１は、保育器支持機構または保育器支持手段１４を必ずしも備えている必要はなく、保育器本体の保育器基台１２が、テーブルの上面や机の上面などの適当な載置箇所上に、直接的にまたは布切れなどを介して間接的に載置されるようにしてもよい。
【００６４】
さらに、上述の実施例においては、児収容空間２５が、この児収容空間２５を平面的に見て、ほぼ長方形状である。しかし、児収容空間２５は、この児収容空間２５をほぼ平面的に見て、ほぼ長方形状である必要は必ずしもなく、保育器基台１２の形状などに応じて、ほぼ円形状、ほぼ楕円形状、ほぼ長円形状、ほぼ六角形状、ほぼ八角形状などの別の形状であってもよい。
【符号の説明】
【００６５】
１１      保育器（閉鎖型保育器）
１２      保育器基台
１４      台車（保育器基台支持手段、保育器基台支持機構）
１５      車輪
２１      頭側の壁部（第１の壁部、固定側の壁部）
２２      脚側の壁部（第２の壁部、固定側の壁部）
２３      前側の壁部（右側の壁部、第３の壁部、可動側の壁部）
２４      後側の壁部（左側の壁部、第４の壁部、可動側の壁部）
２５      児収容空間
２６      天面フード
３１      台車本体
３２      開口部
３３ａ    左側の開閉扉
３３ｂ    右側の開閉扉
４２      臥床架
５０      第１のラッチ機構
７５      周囲枠部
８５      係合用開口
９１      位置決め用の前側突出部
９３      前側の係止用レバー
１０７    摺動操作部などの操作部
１３２    支柱部
１３３    台車本体
１３４ａ  脚部
１３４ｂ  脚部
【図１】
2017086302.tif 000003
【図２】
2017086302.tif 000004
【図３】
2017086302.tif 000005
【図４】
2017086302.tif 000006
【図５】
2017086302.tif 000007
【図６】
2017086302.tif 000008
【図７】
2017086302.tif 000009
【図８】
2017086302.tif 000010
【図９】
2017086302.tif 000011
【図１０】
2017086302.tif 000012
【図１１】
2017086302.tif 000013
【図１２】
2017086302.tif 000014
【図１３】
2017086302.tif 000015
【図１４】
2017086302.tif 000016
【図１５】
2017086302.tif 000017
【手続補正書】
【提出日】平成28年12月15日(2016.12.15)
【手続補正１】
【補正対象書類名】明細書
【補正対象項目名】０００８
【補正方法】変更
【補正の内容】
【０００８】
本発明は、臥床架を支持することができる保育器基台と、児収容空間の外周囲を形成するために、上記保育器基台にそれぞれ取り付けられている第１、第２、第３および第４の壁部によって構成されている周囲枠部と、上記児収容空間の上面を形成するために、上記第１〜第４の壁部のうちの少なくとも１つの壁部に取り付けられている天面フードとを備えている保育器において、上記天面フードが、上記周囲枠部のうちの上記少なくとも１つの壁部に、第１のラッチ機構によって着脱自在に取り付けられ、上記第１のラッチ機構がラッチ解除状態に持ち来たされることによって、上記天面フードが、上記第１のラッチ機構によるラッチを解除されて、上記周囲枠部から取り外され得るように構成され、上記第１、第２の壁部のそれぞれが、上記保育器基台に係止用レバーによって着脱自在に取り付けられると共に、上記第３、第４の壁部のそれぞれが回動軸部によって着脱自在に取り付けられ、上記係止用レバー及び上記回動軸部のうちいずれか一方がラッチ解除状態に持ち来たされることによって、このラッチ解除状態に持ち来たされた上記係止用レバー及び上記回動軸部のうちいずれか一方にラッチされていた上記壁部が、このいずれか一方によるラッチを解除されて、上記保育器基台から取り外され得るように構成されていることを特徴とする保育器に係るものである。
【手続補正２】
【補正対象書類名】明細書
【補正対象項目名】００２６
【補正方法】変更
【補正の内容】
【００２６】
頭側の壁部２１は、図１、図１１などに示す脚側の壁部２２とほぼ同一の大きさでかつほぼ同一の形状であってよい。そして、頭側の壁部２１および脚側の壁部２２のそれぞれの中央部分には、図１などに示すように、布製などの絞り窓４６が取付けられている手挿入用開口４７が形成されている。また、頭側の壁部２１および脚側の壁部２２のそれぞれの前側の部分および後側の部分のそれぞれには、切り込みが形成されている。そして、これらの切り込みには、グロメット部材５１がそれぞれ取り付けられている。なお、頭側の壁部２１および脚側の壁部２２のそれぞれの上端付近には、図１、図２、図３などに示すように、第１のラッチ機構としての前後一対のラッチ機構５０のそれぞれの被係合部５２が一体成形などによってそれぞれ配設されている。そして、頭側の壁部２１の後側の端部および脚側の壁部２２の前側の端部のそれぞれの上端部付近には、図２、図１１などに示すように、被係合部としてのラッチ受け部５３が一体成形などによって配設されている。なお、頭側の壁部２１のうちの後側の端部の付近でかつ上側の端部の付近には、酸素センサなどの補助的な器具を取り付けるための開口（図示せず）が形成されている。
【手続補正３】
【補正対象書類名】明細書
【補正対象項目名】００２７
【補正方法】変更
【補正の内容】
【００２７】
図１、図１１などに示す前側の壁部２３は、後側の壁部２４とほぼ同一の大きさでかつほぼ同一の形状であってよい。そして、前側の壁部２３および後側の壁部２４のそれぞれの左側部分および右側部分のそれぞれには、左側の手入れ窓５４および右側の手入れ窓５５がそれぞれ配設されている。なお、符号５６は、左側および右側の手入れ窓５４、５５のそれぞれの手入れ窓回動軸部である。そして、符号５７は、左側および右側の手入れ窓５４、５５のそれぞれのラッチ機構である。
【手続補正４】
【補正対象書類名】明細書
【補正対象項目名】００２８
【補正方法】変更
【補正の内容】
【００２８】
基台１２の前側の部分６１および後側の部分６２のそれぞれの上端部付近の左右両側部分付近には、図１などに示すように、左側のヒンジ部６３および右側のヒンジ部６４が回動軸部（図示せず）によって往復回動可能に配設されている。そして、前側の壁部２３および後側の壁部２４のそれぞれには、これらの壁部２３、２４が閉鎖状態になっているときに天面フード２６の前側および後側の下端部のそれぞれと係合する左右一対のラッチ機構６５が、それぞれ配設されている。なお、ラッチ機構６５のそれぞれは、前側の壁部２３および後側の壁部２４のうちのいずれか一方の壁部に回動可能に軸支されている共通の軸部６６と、これら共通の軸部６６の外側の端部と内側の端部とにそれぞれ固定されている外側のラッチレバー部７１および内側のラッチレバー部７２とを備えている。さらに、前側の壁部２３および後側の壁部２４のそれぞれの左側の端部付近（換言すれば、これらの壁部２３、２４のそれぞれの外側から向って右側の端部付近）でかつ上側の端部付近には、図２などに示すように、ラッチ機構７３の係合部としてのラッチレバー部７４と、このラッチレバー部７４を壁部２３、２４に取り付け支持するためのレバー支持部７７とが、それぞれ配設されている。そして、前側または後側の壁部２３、２４を開放するときには、レバー支持部７７に対してラッチレバー７４を往動操作することによって、ラッチレバー７４を被係合部５３から離脱させた後に、前側または後側の壁部２３、２４を開放させればよい。
【手続補正５】
【補正対象書類名】明細書
【補正対象項目名】００６５
【補正方法】変更
【補正の内容】
【００６５】
１１      保育器（閉鎖型保育器）
１２      保育器基台
１４      台車（保育器基台支持手段、保育器基台支持機構）
１５      車輪
２１      頭側の壁部（第１の壁部、固定側の壁部）
２２      脚側の壁部（第２の壁部、固定側の壁部）
２３      前側の壁部（右側の壁部、第３の壁部、可動側の壁部）
２４      後側の壁部（左側の壁部、第４の壁部、可動側の壁部）
２５      児収容空間
２６      天面フード
３１      台車本体
３２      開口部
３３ａ    左側の開閉扉
３３ｂ    右側の開閉扉
４２      臥床架
５０      第１のラッチ機構
７５      周囲枠部
８５      係合用開口
９１      位置決め用の前側突出部
９３      前側の係止用レバー
９４      後側の係止用レバー
１０７    摺動操作部などの操作部
１３２    支柱部
１３３    台車本体
１３４ａ  脚部
１３４ｂ  脚部 
【手続補正６】
【補正対象書類名】特許請求の範囲
【補正対象項目名】全文
【補正方法】変更
【補正の内容】
【特許請求の範囲】
【請求項１】
臥床架を支持することができる保育器基台と、児収容空間の外周囲を形成するために、上記保育器基台にそれぞれ取り付けられている第１、第２、第３および第４の壁部によって構成されている周囲枠部と、上記児収容空間の上面を形成するために、上記第１〜第４の壁部のうちの少なくとも１つの壁部に取り付けられている天面フードとを備えている保育器において、
上記天面フードが、上記周囲枠部のうちの上記少なくとも１つの壁部に、第１のラッチ機構によって着脱自在に取り付けられ、
上記第１のラッチ機構がラッチ解除状態に持ち来たされることによって、上記天面フードが、上記第１のラッチ機構によるラッチを解除されて、上記周囲枠部から取り外され得るように構成され、
上記第１、第２の壁部のそれぞれが、上記保育器基台に係止用レバーによって着脱自在に取り付けられると共に、上記第３、第４の壁部のそれぞれが回動軸部によって着脱自在に取り付けられ、
上記係止用レバー及び上記回動軸部のうちいずれか一方がラッチ解除状態に持ち来たされることによって、このラッチ解除状態に持ち来たされた上記係止用レバー及び上記回動軸部のうちいずれか一方にラッチされていた上記壁部が、このいずれか一方によるラッチを解除されて、上記保育器基台から取り外され得るように構成されていることを特徴とする保育器。
【請求項２】
上記保育器基台を支持することができる保育器基台支持機構をさらに備えていることを特徴とする請求項１に記載の保育器。
【請求項３】
上記保育器基台支持機構が、少なくとも１つの側面のほぼ全体が開口することによって形成されている開口部を有する台車本体と、この台車本体の上記開口部を開閉するために、この台車本体に回動可能にそれぞれ取り付けられた左右一対の開閉扉と、上記保育器を移動させるのに用いるために、上記台車本体に配設された車輪とを備えていることを特徴とする請求項２に記載の保育器。
【請求項４】
上記保育器基台支持機構が、その上端部が保育器基台の下端部に連結されている支柱部と、この支柱部の下端部を支持している台車本体と、この台車本体の一方の側の端部とこの一方の側とは反対側である他方の側の端部とにそれぞれ連結されている一対の脚部と、上記一対の脚部のそれぞれの両端部にそれぞれ取り付けられている車輪とを備えていることを特徴とする請求項２に記載の保育器。
【請求項５】
上記児収容空間の上記外周囲が、上記児収容空間を平面的に見て、ほぼ長方形状であることを特徴とする請求項１〜４のうちのいずれか１つに記載の保育器。
【請求項６】
上記天面フードが、上記第１〜第４の壁部のうちの少なくとも２つの固定側の壁部のそれぞれに、上記第１のラッチ機構のそれぞれによって着脱自在に取り付けられていることを特徴とする請求項１〜５のうちのいずれか１つに記載の保育器。
【請求項７】
上記第１〜第４の壁部のうちの上記固定側の壁部を除く少なくとも１つの可動側の壁部の下端部が、上記保育器基台に回動自在に軸支され、
上記少なくとも１つの可動側の壁部が、その下端部を回動支点として、ほぼ直立した状態とほぼ下垂した状態との間を往復回動し得るように構成されていることを特徴とする請求項６に記載の保育器。
【請求項８】
上記保育器が閉鎖型保育器であることを特徴とする請求項１〜７のうちのいずれか１つに記載の保育器。